【手続補正書】
【提出日】平成15年11月12日(2003.11.12)
【手続補正１】
【補正対象書類名】明細書
【補正対象項目名】特許請求の範囲
【補正方法】変更
【補正の内容】
【特許請求の範囲】
【請求項１】
オークションに商品を出品するための出品端末装置と、該オークションに参加するための参加端末装置と、該オークションの場を提供する管理装置とがネットワークを介して接続されたシステムであって、
前記出品端末装置は、商品データを記憶する商品データベースを参照し、該商品データベースにデータが格納された商品のなかで予め決められている期間取引がない商品を前記オークションに出品する商品の候補として抽出する候補抽出手段と、
前記候補抽出手段が抽出した候補のなかから前記オークションに出品する商品を選択する商品選択手段と、
前記商品選択手段により選択された商品の出品を前記管理装置に依頼する出品依頼手段と、
を具備し、
前記管理装置は、前記出品依頼手段が出品を依頼した商品を前記オークションに出品させる、
ことを特徴とするオークションシステム。
【請求項２】
前記管理装置は、
前記オークションに出品した商品に対して前記参加端末装置から送信される入札内容を保存する入札内容保存手段と、
前記入札内容保存手段に保存された入札内容を該入札内容が送信された商品を出品した前記出品端末装置に送信する入札内容送信手段と、
を具備し、前記入札内容送信手段が前記入札内容を送信した前記出品端末装置側で落札者を決定させる、
ことを特徴とする請求項１記載のオークションシステム。
【請求項３】
前記出品端末装置は、個別売買が可能な複数の商品を１商品として前記オークションに出品し、
前記参加端末装置は、前記入札内容として、商品の希望個数及び該希望個数の商品に対する希望金額を少なくとも送信し、
前記管理装置は、前記出品端末装置側で前記商品の数の範囲内で商品の落札者を決定させる、
ことを特徴とする請求項１または２に記載のオークションシステム。
【請求項４】
前記商品選択手段は、前記候補抽出手段が抽出した商品の前記商品データベースに格納されているデータを表示し、該データを表示させた商品を出品するか否か選択させるとともに、該表示させたデータの内容をユーザの指示に応じて変更し、
前記出品依頼手段は、前記商品選択手段により表示されているデータを前記管理装置に送信して、該商品選択手段により選択された商品の出品を依頼する、
ことを特徴とする請求項１〜３のいずれかに記載のオークションシステム。
【請求項５】
オークションに商品を出品するための出品端末装置と、該オークションに参加するための参加端末装置と、該オークションの場を提供する管理装置とがネットワークを介して接続されるシステムで用いられる方法であって、
前記出品端末装置に、商品データを記憶する商品データベースを参照させ、該商品データベースにデータが格納された商品のなかで予め決められている期間取引がない商品を前記オークションに出品する商品の候補として抽出させ、抽出させた候補のなかから前記オークションに出品する商品を選択させて前記オークションに出品させ、
前記参加端末装置に、前記オークションに出品された商品に対する入札内容として、該商品の希望個数及び該希望個数の商品に対する希望金額を少なくとも前記管理装置に送信させ、
前記管理装置に、前記参加端末装置から送信された入札内容を前記出品端末装置に送信させ、
前記入札内容が送信された出品端末装置側で落札者を決定させる、
ことを特徴とするオークション方法。
【請求項６】
ネットワークを介して接続された管理装置にオークションへの商品の出品を依頼するために用いられるデータ処理装置であって、
商品データを記憶する商品データベースを参照し、該商品データベースにデータが格納された商品のなかで予め決められている期間取引がない商品を前記オークションに出品する商品の候補として抽出する候補抽出手段と、
前記候補抽出手段が抽出した候補のなかから前記オークションに出品する商品を選択する商品選択手段と、
前記商品選択手段により選択された商品の出品を前記管理装置に依頼する出品依頼手段と、
を具備したことを特徴とするデータ処理装置。
【請求項７】
ネットワークを介して管理装置に接続される端末装置を制御するためのコンピュータが実行可能なプログラムを格納した記憶媒体であって、
商品データを記憶する商品データベースを参照させ、該商品データベースにデータが格納された商品のなかで予め決められている期間取引がない商品を前記ネットワーク上で行われるオークションに出品する商品の候補として抽出させるためのプログラムコードと、
前記抽出された候補のなかから前記オークションに出品する商品を選択させるためのプログラムコードと、
前記選択された商品の出品を前記ネットワークに接続された前記管理装置に依頼させるためのプログラムコードと、
を含むプログラムを格納したことを特徴とする記録媒体。
【手続補正２】
【補正対象書類名】明細書
【補正対象項目名】０００６
【補正方法】変更
【補正の内容】
【０００６】
【課題を解決するための手段】
請求項１の発明のオークションシステムは、オークションに商品を出品するための出品端末装置と、該オークションに参加するための参加端末装置と、該オークションの場を提供する管理装置とがネットワークを介して接続されたシステムであって、前記出品端末装置は、商品データを記憶する商品データベースを参照し、該商品データベースにデータが格納された商品のなかで予め決められている期間取引がない商品を前記オークションに出品する商品の候補として抽出する候補抽出手段と、前記候補抽出手段が抽出した候補のなかから前記オークションに出品する商品を選択する商品選択手段と、前記商品選択手段により選択された商品の出品を前記管理装置に依頼する出品依頼手段と、を具備し、前記管理装置は、前記出品依頼手段が出品を依頼した商品を前記オークションに出品させる、ことを特徴とする。


【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項５の発明のオークション方法は、オークションに商品を出品するための出品端末装置と、該オークションに参加するための参加端末装置と、該オークションの場を提供する管理装置とがネットワークを介して接続されるシステムで用いられる方法であって、前記出品端末装置に、商品データを記憶する商品データベースを参照させ、該商品データベースにデータが格納された商品のなかで予め決められている期間取引がない商品を前記オークションに出品する商品の候補として抽出させ、抽出させた候補のなかから前記オークションに出品する商品を選択させて前記オークションに出品させ、前記参加端末装置に、前記オークションに出品された商品に対する入札内容として、該商品の希望個数及び該希望個数の商品に対する希望金額を少なくとも前記管理装置に送信させ、前記管理装置に、前記参加端末装置から送信された入札内容を前記出品端末装置に送信させ、前記入札内容が送信された出品端末装置側で落札者を決定させる、ことを特徴とする。


【手続補正７】
【補正対象書類名】明細書
【補正対象項目名】００１１
【補正方法】変更
【補正の内容】
【００１１】
請求項６の発明のデータ処理装置は、ネットワークを介して接続された管理装置にオークションへの商品の出品を依頼するために用いられるデータ処理装置であって、商品データを記憶する商品データベースを参照し、該商品データベースにデータが格納された商品のなかで予め決められている期間取引がない商品を前記オークションに出品する商品の候補として抽出する候補抽出手段と、前記候補抽出手段が抽出した候補のなかから前記オークションに出品する商品を選択する商品選択手段と、前記商品選択手段により選択された商品の出品を前記管理装置に依頼する出品依頼手段と、を具備したことを特徴とする。


【手続補正８】
【補正対象書類名】明細書
【補正対象項目名】００１２
【補正方法】変更
【補正の内容】
【００１２】
請求項７の発明の記録媒体は、ネットワークを介して管理装置に接続される端末装置を制御するためのコンピュータが実行可能なプログラムを格納した記憶媒体であって、商品データを記憶する商品データベースを参照させ、該商品データベースにデータが格納された商品のなかで予め決められている期間取引がない商品を前記ネットワーク上で行われるオークションに出品する商品の候補として抽出させるためのプログラムコードと、前記抽出された候補のなかから前記オークションに出品する商品を選択させるためのプログラムコードと、前記選択された商品の出品を前記ネットワークに接続された前記管理装置に依頼させるためのプログラムコードと、を含むプログラムを格納したことを特徴とする。


【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００８６
【補正方法】変更
【補正の内容】
【００８６】
【発明の効果】
本発明によれば、オークションに出品する商品となりうる商品のデータが格納された商品データベースを参照して、該商品データベースにデータが格納された商品のなかで予め決められている期間取引がない商品をオークションに出品する商品の候補として抽出してユーザに提示し、その候補のなかで実際に出品する物をユーザに選択させ、その選択された物のデータをネットワーク上でオークションの場を提供している管理装置に送信し、ユーザに選択させた物をオークションに出品させるので、ユーザはネットワーク上で行われるオークションへの商品の出品を容易且つ迅速に行うことができる。